(57)【要約】      （修正有）【課題】ユーザが録画番組のタイトル選択時に必要とする情報を表示することができる記録再生装置を提供する。【解決手段】複数の番組タイトルを記録する記録手段と、前記記録手段に記録されている前記複数の番組タイトルの表示を指示する入力手段と、前記複数の番組タイトルの表示の指示があった場合、前記複数の番組タイトルのそれぞれの文字列の区切位置を分析する文字列分析手段と、前記文字列分析手段で分析された前記複数の番組タイトルの文字列を区切位置単位で比較し、前記複数の番組タイトルそれぞれについて共通する第１部分とそれ以外の第２部分とに判別する文字列比較手段と、前記複数の番組タイトルにおける前記第１部分の表示位置と前記第２部分の表示位置を指定する表示位置指定手段と、前記表示位置に基づいて表示する表示手段とを有する。【選択図】図１
2009260650.tif 000002
【特許請求の範囲】
【請求項１】
複数の番組タイトルを記録する記録手段と、
前記記録手段に記録されている前記複数の番組タイトルの表示を指示する入力手段と、
前記複数の番組タイトルの表示の指示があった場合、前記複数の番組タイトルのそれぞれの文字列の区切位置を分析する文字列分析手段と、
前記文字列分析手段で分析された前記複数の番組タイトルの文字列を区切位置単位で比較し、前記複数の番組タイトルそれぞれについて共通する第１部分とそれ以外の第２部分とに判別する文字列比較手段と、
前記複数の番組タイトルにおける前記第１部分の表示位置と前記第２部分の表示位置を指定する表示位置指定手段と、
前記表示位置指定手段で指定された前記第１部分の表示位置と前記第２部分の表示位置に基づいて一覧表示画面を作成する画面作成手段と、
前記画面作成手段で作成された前記一覧表示画面を表示する表示手段と、
を有することを特徴とする記録再生装置。
【請求項２】
前記第１の部分は、前記複数の番組タイトルにおける文字列の同一部分のうち最初から所定文字数であることを特徴とする請求項１記載の記録再生装置。
【請求項３】
前記第２部分は、前記複数の番組タイトルにおける非同一部分の文字列とすることを特徴とする請求項１記載の記録再生装置。
【請求項４】
前記表示位置指定手段は、前記第１部分について所定の一箇所に表示位置を指定し、前記第２部分について前記複数の番組タイトルそれぞれの所定の表示位置を指定することを特徴とする請求項３記載の記録再生装置。
【請求項５】
前記番組タイトルは、前記番組タイトルの記述子情報に応じて文字列が区切られていることを特徴とする請求項４記載の記録再生装置。
【請求項６】
前記番組タイトルは、番組の属性情報を含むことを特徴とする請求項５記載の記録再生装置。
【請求項７】
前記入力手段により前記第１部分の一箇所表示の実行の指示に基づいて、前記第１部分と前記第２部分の分離表示を有効とする文字列表示判断手段を有することを特徴とする請求項６記載の記録再生装置。
【請求項８】
複数の番組タイトルの表示指示に基づいて前記複数の番組タイトルそれぞれの文字列の区切位置を分析し、
前記複数の番組タイトルの文字列を区切位置単位で比較し、前記複数の番組タイトルそれぞれについて共通部分と非共通部分とに判別し、
前記複数の番組タイトルにおける前記共通部分の表示位置と前記非共通部分の表示位置を指定し、
前記共通部分の表示位置と前記非共通部分の表示位置に基づいて一覧表示画面を作成し、前記一覧表示画面を表示する、
ことを特徴とする画面表示方法。
【請求項９】
前記第１部分について所定の一箇所に表示し、前記第２部分について前記複数の番組タイトルそれぞれの所定の表示位置に表示することを特徴とする請求項８記載の画面表示方法。
【発明の詳細な説明】
【技術分野】
【０００１】
この発明は、記録されている複数の録画番組データの番組タイトルを画面に表示する記録再生装置およびその画面表示方法に関する。
【背景技術】
【０００２】
近年、ハードディスクなどの情報記録装置は、その記憶容量が増大している。そのため、これらの情報記録装置を備えた記録再生装置では、多くの録画番組を記録しておくことが可能である。
【０００３】
また、このような記録再生装置では、記録されている録画番組データと番組タイトルと番組タイトルとを対応付けて記録している。そのため、連続ドラマなどの録画番組データの場合、録画番組データの番組タイトル名は、シリーズ名が同一であるため、ほとんど重複したものとなっている。
【０００４】
特許文献１には、限られた表示画面に対して表示領域でより多くの情報を表示するために、表示画面に表示される各番組プログラムのタイトル名について、１つ前に表示されている番組プログラムのタイトル名の文字列と比較し、文字列の先頭部分に一定以上の長さの同一部分がある場合、双方の番組プログラムに関連性があると判断し、後続の番組プログラムのタイトル名のうち、同一文字列部分を省略して表示する構成について記載されている。
【特許文献１】特開２００７−１０４３６６公報
【発明の開示】
【発明が解決しようとする課題】
【０００５】
しかし、特許文献１の記録再生装置では、表示画面に表示される各番組プログラムのタイトル名について、１つ前に表示されている番組プログラムのタイトル名の文字列と比較している。したがって、表示画面の最上段に表示される基準となる番組プログラムのタイトル名は全て表示されることとなる。そのため、表示欄に入らないタイトル名の後段は省略表示される。ドラマなど長いタイトルの後に話数、題名が入るタイトル名の場合、ユーザは、表示画面の最上段に表示される基準となる番組プログラムのタイトル名を見たときに、第何話なのか、題名は何かを一見して判別できない不都合さがある。
【０００６】
この発明は、ユーザが録画番組のタイトル選択時に必要とする情報を表示できる記録再生装置及び記録再生方法を提供することにある。
【課題を解決するための手段】
【０００７】
この発明の一実施の形態の記録再生装置は、複数の番組タイトルを記録する記録手段と、前記記録手段に記録されている前記複数の番組タイトルの表示を指示する入力手段と、前記複数の番組タイトルの表示の指示があった場合、前記複数の番組タイトルのそれぞれの文字列の区切位置を分析する文字列分析手段と、前記文字列分析手段で分析された前記複数の番組タイトルの文字列を区切位置単位で比較し、前記複数の番組タイトルそれぞれについて共通する第１部分とそれ以外の第２部分とに判別する文字列比較手段と、前記複数の番組タイトルにおける前記第１部分の表示位置と前記第２部分の表示位置を指定する表示位置指定手段と、前記表示位置指定手段で指定された前記第１部分の表示位置と前記第２部分の表示位置に基づいて一覧表示画面を作成する画面作成手段と、前記画面作成手段で作成された前記一覧表示画面を表示する表示手段とを有する。
【発明の効果】
【０００８】
録画番組のタイトル名の文字列の比較から同一文字列と異なる文字列部分を分離検出することができる。したがって、同一文字列部分は、別位置に一箇所表示される。ユーザは、タイトル選択するための判断情報として、同一文字列を除いたタイトル名が提供されるため、使い勝手は向上する。
【発明を実施するための最良の形態】
【０００９】
以下、図面を参照しながらこの発明の実施の形態を説明する。図１はこの発明が適用された記録再生装置１０の全体構成を示す図である。この記録再生装置１０は、２種類のディスクドライブ部を有する。光ディスク１０１は、ビデオファイルを構築できる情報記録媒体である。ディスクドライブ部１０２は、光ディスク１０１を回転駆動し、情報の読み書きを実行する。ハードディスクドライブ部１０３はハードディスクを駆動して記録する。ディスクドライブ部１０２は、光ディスク１０１に対する回転制御系、レーザ駆動系、光学系などを有する。
【００１０】
録画信号処理部１０４は、ディスクドライブ部１０２及びハードディスクドライブ部１０４に記録データを供給することができ、また、再生された信号を受け取ることができる。
【００１１】
録画信号処理部１０４は、記録または再生単位のデータを取り扱うもので、エンコーダ部、デコーダ部、バッファ回路、変調・復調回路、エラー訂正部などを含む。録画信号処理部１０４には、チューナ部１０６からビデオ信号とオーディオ信号が入力される。そして、録画信号処理部１０４は当該記録再生装置１０と接続されている映像表示装置３０に対して映像表示する。
【００１２】
制御部１０５は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００１３】
制御部１０５は、そのＲＯＭに格納された制御プログラムに従い、ＲＡＭをワークエリアとして用いて処理を実行する。また、不揮発性メモリ１０７は、各種の設定情報及び制御情報等が格納されている。制御部１０５は、入力部１０８からの操作情報を受けたとき、または、リモートコントローラ２０から送出された操作情報を受光部１０９を介して受信したときは、その操作内容が装置に反映されるように各部をそれぞれ制御している。
【００１４】
制御部１０５は、タイトル名文字列分析部１０５ａ、文字列比較検出部１０５ｂ、検出喪字列表示判断部１０５ｃ、検出文字列表示位置指定部１０５ｄ、タイトル一覧画面作成部１０５ｅを有する。
【００１５】
タイトル名文字列分析部１０５ａは、各録画番組のシリーズ記述子情報からタイトル名に関する情報を取得する。文字列比較検出部１０５ｂは、各番組タイトルの文字列の重複部分を比較する。検出表示列表示判断部１０５ｃは、番組タイトル一覧省略機能の設定に基づいて表示文字列を決定する。検出文字列表示位置指定部１０５ｄは、各番組タイトルから表示対象の同一文字列部分と非同一文字列部分を分離し、画面上の表示位置を指定する。タイトル一覧画面作成部１０５ｅは、表示位置情報を基にして、映像表示装置に重複部分および重複部分を除いた番組タイトルを設定に合わせて表示画面を作成する。
【００１６】
以下、本発明の実施形態であるタイトル名の省略表示について説明する。図２は、記録再生装置１０で再生可能な光ディスク１０１または、ハードディスクドライブ部１０３に記録された複数の録画番組と、これらにそれぞれ対応付けられている番組タイトルについて表示した図である。
【００１７】
例えば、ハードディスクドライブ部１０３に記録されている録画番組の中の一つの番組タイトルは、[○][×][△]  ABCDEF  GHIJK  （８８）「abcdefghi」である。例えば、[○]は録画番組が音声解説である旨を、[×]は録画番組が字幕放送である旨を、[△]は録画番組がデジタル放送である旨を意味する番組の属性を示す記号である。その後の「ABCDEF  GHIJK」は番組のシリーズ名を、（８８）は話数を、「abcdefghi」は題名（サブタイトル）を表示している。
【００１８】
図３は、図２に示す録画番組の番組タイトルを映像表示装置に表示した画面図である。ユーザがリモートコントローラ２０または入力部１０８により録画番組の番組タイトルの表示を入力すると、制御部１０５は、ハードディスクドライブ部１０３に記録されている録画番組の番組タイトルを映像表示装置に対して図３に示す表示画面を表示する。
【００１９】
ここで、図２に示すように８つの録画番組が特定のフォルダに記録されているとする。映像表示装置３０では、番組タイトルを２列表示している。ここではシリーズ番組の録画番組であるため、各番組タイトルは、[○][×][△]ABCDEF  GHIJK  までが重複し、その後に続く話数と題名が異なる場合である。映像表示装置３０では、番組タイトル一覧表示画面における各番組タイトルの表示欄に収まらない番組タイトル名は、後段部が省略されて表示される。ここで、各番組タイトルは長く、さらに各番組タイトルの前段部が重複しているため、映像表示装置では、異なる８つの番組タイトルは、重複している前段部のみが表示される。逆に言うと、各番組タイトルについてそれぞれ異なる後段部が表示されない。そのため、ユーザは、図３に示す表示画面では、所望の録画番組を判別することは困難である。
【００２０】
この場合、録画番組の番組タイトル一覧表示画面では、タイトルの一覧性が損なわれる。ユーザは、リモートコントローラ２０により各番組タイトルの表示欄を選択することで表示される詳細情報を参照する必要がある。そのため、特に連続ドラマなどのシリーズ番組を毎週録画している場合、番組タイトルの前段部は重複する。番組タイトル一覧表示画面に表示される各録画番組の表示欄に表示される表示部分が全く同一となってしまうため、一覧性が著しく損なわれる場合がある。
【００２１】
ここで、ユーザは、図４に示す番組タイトル一覧省略機能の設定画面において、上記のような番組タイトル一覧表示画面における各番組タイトルの重複部分を省略する設定をすることができる。設定は以下のようになされる。
【００２２】
ユーザがリモートコントローラ２０で所定の入力をすると、制御部１０５は、図４に示す番組タイトル一覧省略機能の設定画面を映像表示装置３０に表示する。番組タイトル一覧省略機能の設定画面は、各フォルダの初期設定の省略の要否および重複部分の表示方法として、一箇所表示、マークを省略して一箇所表示、表示しない、のいずれかを選択する画面である。
【００２３】
ユーザは、各フォルダの初期設定の項目で、後に詳述する番組タイトルを省略表示した番組タイトル一覧表示画面を表示する前に図３に示す番組タイトル一覧表示画面の表示を省略するか否かを選択できる。
【００２４】
また、ユーザは、重複部分の表示方法の項目で、省略した部分を画面上の所定の一箇所に表示する場合は「一箇所表示」を、省略した部分のうちマークを除いて画面上の所定の一箇所に表示する場合は「マークを省略して一箇所表示」を、省略した部分を画面上に表示しない場合は「表示しない」を選択できる。ここで、マークとは、上記説明した番組の属性を意味する [○][×][△]の記号である。
【００２５】
次に、番組タイトルを省略表示した番組タイトル一覧表示画面の表示について図５に示すフローチャートを用いて説明する。ここでは。ユーザが図４に示す番組タイトル一覧省略機能の設定画面で、各フォルダの初期設定について「省略しない」、重複部分の表示方法について「マークを省略して一箇所表示」を選択して決定した場合とする制御部１０５は、決定の入力に基づいてＲＡＭに当該設定を記録している。
【００２６】
はじめに、ユーザが任意のフォルダに記録されている録画番組の番組タイトル一覧表示画面の映像表示装置３０への表示を選択する。制御部１０５は、番組タイトル一覧省略機能が設定されているか否かを判断する（ステップＳ１００）。
【００２７】
番組タイトル一覧省略機能が設定されていなければ（ステップＳ１００、ＮＯ）、タイトル一覧画面作成部１０５は、選択された任意のフォルダに記録されている録画番組について、各番組タイトルを省略しない番組タイトル一覧表示画面を作成し、映像表示装置３０に表示する（ステップＳ１０１）。
【００２８】
番組タイトル一覧省略機能が設定されていれば（ステップＳ１０２、ＹＥＳ）、制御部１０５は、番組タイトル一覧省略機能を有効にする。そして、タイトル名文字列分析部１０５ａは、フォルダ内の番組タイトル名を比較する（ステップＳ１０２）。タイトル名の比較は、以下のように行われる。ここで、図８は、録画番組のシリーズ記述子情報のデータ構造を示す図である。
【００２９】
タイトル名文字列分析部１０５ａは、各録画番組のシリーズ記述子情報からシリーズ名情報、話数情報、題名情報、これらの情報から特定される文字列の区切位置情報も取得し、ＲＡＭに記録する。また、タイトル名文字列分析部１０５ａは、追加記号情報で特定される音声解説、字幕、デジタル放送、ステレオ放送などの録画番組の属性を示す記号もＲＡＭに記録する。
【００３０】
次に、文字列比較検出部１０５ｂは、タイトル名文字列分析部１０５ａで取得した各番組タイトルの文字列の重複部分を比較する。このとき、タイトル名文字列分析部１０５ａで取得した文字列の区切位置情報間隔で重複部分の有無を判断する。
【００３１】
例えば、文字列の区切位置情報とは、図２に示す[○][×][△]  ABCDEF  GHIJK  （８８）「abcdefghi」とする番組タイトルの場合、文字列比較検出部１０５ｂは、ABCDEF  GHIJKの前後を区切位置と認定する。また、文字列比較検出部１０５ｂは、（８８）の前後および「abcdefghi」の前後を区切位置と認定する。つまり、シリーズ名、話数など、タイトル名文字列分析部１０５ａがシリーズ記述子情報から取得した情報単位で区切られる。
【００３２】
そのため、文字列比較検出部１０５ｂは、区切位置で挟まれる文字列について、途中までが同じであっても重複とはみなさない。つまり、文字列比較検出部１０５ｂは、区切位置から区切位置までの区切位置単位で重複であれば重複の文字列であるとみなす。
【００３３】
また、タイトル名が複数の区切位置を有している場合、文字列比較検出部１０５ｂが途中の区切位置で挟まれる文字列について非同一の文字列であると判断したときは、その後に区切位置で挟まれる文字列が同一文字列で重複していると判断しても、その部分は省略表示しないと判断する。上記文字列比較検出部１０５ｂによる重複の文字列の検出により、シリーズ名、話数、題名の少なくともいずれか１つは省略しないで表示される。したがって、番組タイトルを省略表示した番組タイトル一覧表示画面の見やすさは向上する。
【００３４】
文字列比較検出部１０５ｂは、文字列の区切位置情報を用いて、フォルダ内の番組タイトルの文字列を比較する。そして、文字列比較検出部１０５ｂは、同一文字列部分と非同一文字列部分を検出する。文字列比較検出部１０５ｂが重複する同一文字列部分を検出しなかった場合（ステップＳ１０３、ＮＯ）、制御部１０５は、選択された任意のフォルダに記録されている録画番組について、各番組タイトルを省略しない番組タイトル一覧表示画面を映像表示装置に表示する（ステップＳ１０１）。文字列比較検出部１０５ｂは、任意の一つ（例えば、フォルダ内に記録されている録画番組の中で録画日時が一番古い録画番組）の番組タイトルを基準として、その他の番組タイトルに対して同一文字列部分と非同一文字列部分を検出する。
【００３５】
文字列比較検出部１０５ｂが重複する同一文字列部分を検出した場合（ステップＳ１０３、ＹＥＳ）、検出文字列表示判断部１０５ｃは、番組タイトル一覧省略機能の設定に基づいて表示文字列を決定する。
【００３６】
そして、検出文字列表示位置指定部１０５ｄは、各番組タイトルから表示対象の同一文字列部分と非同一文字列部分を分離し、画面上の表示位置を指定する。図９は、このときの表示位置情報テーブルを示している。検出文字列表示位置指定部１０５ｄは、図４に示す番組タイトル一覧省略機能の設定画面での設定に基づいて、各項目の画面上の表示位置を指定する。
【００３７】
図２に示す最上段のタイトル名に含まれるマークは[○][×][△]であり、図９に示す上から８つのタイトル名については共通する。タイトル名の順番は、例えば上から記録した日時順である。重複部分についてはマークを省略して一箇所表示する旨が設定されているので、検出文字列表示位置指定部１０５ｄは、図９に示すように表示位置情報テーブルにおいて各番組タイトル名のマーク表示欄を非表示であることを示す×を設定する。
【００３８】
また、図２に示す最上段のタイトル名のシリーズ名である「ABCDEF  GHIJK」は、図９に示す上から８つのタイトル名については共通する。そして、重複部分を省略して一箇所表示する旨が設定されているので、検出文字列表示位置指定部１０５ｄは、図９に示すように表示位置情報テーブルにおいて各番組タイトル名のシリーズ名表示欄を表示であることを示す○を設定する。また、検出文字列表示位置指定部１０５ｄは、シリーズ名が重複文字列なので、所定の位置に一箇所表示される。したがって、８つのタイトル名のうちシリーズ名の表示位置は、全て同じ表示位置が設定される。
【００３９】
また、図２に示す最上段のタイトル名の話数である（８８）は、図９に示す上から８つのタイトル名についてはいずれとも共通しない。そして、重複部分の表示方法として、マークを省略して一箇所表示が設定されている。したがって、検出文字列表示位置指定部１０５ｄは、図９に示すように表示位置情報テーブルで、各番組タイトル名の話数表示欄は、表示を示す○が設定される。また、検出文字列表示位置指定部１０５ｄは、話数は重複文字列ではないので、８つのタイトル名の話数は、別々の所定の位置に表示されるように設定される。
【００４０】
また、図２に示す最上段のタイトル名の題名である「abcdefghi」は、図９に示す上から８つのタイトル名のうち４つは共通する。しかし、タイトル名の途中の話数が重複文字列ではなかったので、その後の題名である「abcdefghi」についても重複文字列か否かに関係なく表示される。そして、重複部分の表示方法として、マークを省略して一箇所表示が設定されている。したがって検出文字列表示位置指定部１０５ｄは、図９に示すように表示位置情報テーブルにおいて各番組タイトル名の題名表示欄について表示を示す○と設定する。また、検出文字列表示位置指定部１０５ｄは、題名は省略表示しないので、所定の位置に一箇所表示される。そのため、８つのタイトル名のシリーズ名の表示位置は、話数で設定した表示位置と同じ表示位置が設定される。
【００４１】
各番組タイトルについて同一文字列部分がない場合、検出文字列表示位置指定部１０５ｄは、各番組タイトルについての表示位置のみについて指定する。
【００４２】
タイトル一覧画面作成部１０５ｅは、表示位置情報テーブルを基にして、映像表示装置３０に重複部分であるシリーズ名を所定の表示位置に表示し（ステップＳ１０４）、各番組タイトルから重複部分であるシリーズ名を除いた話数と題名を所定位置に表示する（ステップＳ１０５）。
【００４３】
ここで、図４に示す番組タイトル一覧省略機能の設定画面で初期設定の項目は省略しないと設定されている。したがって、図６に示すように、タイトル一覧画面作成部１０５ｅは、示す表示位置情報テーブルを基にして映像表示装置３０に対して表示する前に図３に示す番組タイトルの省略表示をしない状態で番組タイトル一覧表示画面を表示する。そして、タイトル一覧画面作成部１０５ｅは、図９に示す表示位置情報テーブルに基づいた重複部分省略機能の有効無効をユーザの操作によって切換できる選択画面も表示する。
【００４４】
ユーザが図６に示す画面上で重複部分省略機能を選択すると、タイトル一覧画面作成部１０５ｅは、図７に示すように図９の表示位置情報テーブルに基づいた各番組タイトルの重複部分を所定位置に表示する。そして、タイトル一覧画面作成部１０５ｅは、各番組タイトルについて重複部分を省略して画面表示する。
【００４５】
したがって、設定された番組タイトル一覧省略機能に基づいて重複する属性情報を示すマークは非表示とされ、重複部分であるシリーズ名が一箇所に表示される。各番組タイトルの所定の表示位置には話数、題名のみが表示されるため、ユーザは、一見して所望の録画番組を選択することができる。
【００４６】
ここでは、番組タイトルが共通部分と非共通部分に分離され、共通部分の全てが一箇所に表示されるようにしたが、共通部分うちの最初からＮ字までを一箇所表示し、各番組タイトルについては、Ｎ文字目までを分離した残りを表示するようにしてもよい。
【００４７】
上記図９に示す表示位置情報テーブルでは、ハードディスクドライブ部１０３に設けられた特定のファイルに同じシリーズ名を有する録画番組が記録されている場合について説明した。別の実施例として、特定のファイルにシリーズ名の異なる番組が複数記録されている場合も上記同様である。つまり、図１０に示す表示位置情報テーブルが作成される。
【００４８】
文字列比較検出部１０５ｂは、基準となる番組タイトルのシリーズ名と異なるシリーズ名を有する番組タイトルを検出した場合、同一文字列ではないため省略しないと判断する。しかし、同じファイル内に、異なるシリーズ名を有する番組タイトルを複数検出した場合、文字列比較検出部１０５ｂは、省略しないと判断された番組タイトルのうち特定の番組タイトルを基準として、マーク、シリーズ名などの共通文字列は省略すると判断する。この場合、省略表示した画面上では、複数のシリーズ名をまとめて一箇所表示した画面は見にくくなる。したがって、検出文字列表示位置指定部１０５ｄは、省略するシリーズ名ごとに表示画面が異なるように、図１０に示すような表示位置を異にする設定とする。
【００４９】
図１０では、シリーズ名がＡＢＣＤＥＦ  ＧＨＩＪＫの番組タイトルは、表示位置を１−ＡＡと設定されているが、シリーズ名がＡＢＣＤＥＦ  ＬＭＮの番組タイトルは、表示位置を２−ＡＡとして設定されているため同一表示画面上には表示しない。ユーザは、リモートコントローラ１７の十字キーで画面をスクロールすることで、シリーズ名ごとに省略表示を実現した番組タイトルの表示画面となる。シリーズ名の表示位置１−ＡＡおよび２−ＡＡは、それぞれ異なる表示画面の所定位置にそれぞれ一箇所表示することを意味している。
【００５０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５１】
【図１】この発明が適用される記録再生装置の概要を説明するために示した図。
【図２】記録再生装置に記録されている録画番組の番組タイトルについて表示した図。
【図３】番組タイトルの表示画面を示す図。
【図４】番組タイトル一覧省略機能の設定画面を示す図。
【図５】番組タイトルを省略表示について示すフローチャート。
【図６】番組タイトルの省略表示をしない状態の番組タイトル一覧表示画面を示す図。
【図７】番組タイトルの省略表示した状態の番組タイトル一覧表示画面を示す図。
【図８】録画番組のシリーズ記述子情報のデータ構造を示す図。
【図９】番組タイトルの表示位置情報テーブルを示す図。
【図１０】番組タイトルの表示位置情報テーブルを示す図。
【符号の説明】
【００５２】
１０…記録再生装置、２０…リモートコントローラ、３０…映像表示装置、１０１…光ディスク、１０２…ディスクドライブ部、１０３…ハードディスク部、１０４…録画信号処理部、１０５…制御部、１０５ａ…タイトル名文字列分析部、１０５ｂ…文字列比較検出部、１０５ｃ…検出表示列表示判断部、１０５ｄ…検出文字列表示位置指定部、１０５ｅ…タイトル一覧画面作成部、１０６…チューナ部、１０７…不揮発性メモリ、１０８…入力部、１０９…受光部。
【図１】
2009260650.tif 000003
【図２】
2009260650.tif 000004
【図３】
2009260650.tif 000005
【図４】
2009260650.tif 000006
【図５】
2009260650.tif 000007
【図６】
2009260650.tif 000008
【図７】
2009260650.tif 000009
【図８】
2009260650.tif 000010
【図９】
2009260650.tif 000011
【図１０】
2009260650.tif 000012